(57)【特許請求の範囲】
【請求項１】
Internet Procotol（ＩＰ）マルチメディアサブシステム（ＩＭＳ）集中型サービス制御（ＩＣＳ）のためのネットワークノードであって、
移動通信交換局（ＭＳＣ）サーバが前記ネットワークノードを含むネットワークに属しておらず、インバウンドローマであるユーザ機器（ＵＥ）に送信した認証要求に応じて受信する認証応答に応じて、当該ＭＳＣサーバから、国際移動体加入者識別番号（ＩＭＳＩ）を含むUpdate Location Requestを受信する受信手段と、
前記Update Location Requestの受信に起因して加入者管理装置（ＨＳＳ）から加入者プロファイル及びサービス設定を検索する検索手段と、
前記サービス設定と前記加入者プロファイルとを、回線交換（ＣＳ）設定とＣＳプロファイルとにマッピングするマッピング手段と、
前記マッピングされたＣＳプロファイルとＣＳ設定とを含む加入者データ挿入メッセージ（Insert Subscriber Data message）を前記ＭＳＣサーバに送信する送信手段と、
を備える、ネットワークノード。
【請求項２】
前記受信手段は、前記ＭＳＣサーバが前記ＵＥから前記ＩＭＳＩを含むLocation UpdateRequestを受信したことに応じて当該ＭＳＣサーバから、ＣＳ認証が要求されることを示す認証パラメータ要求を受信し、
前記検索手段は、前記ＨＳＳから前記認証要求のためのＣＳ認証データを検索し、
前記ＣＳ認証データを含む認証情報メッセージを前記ＭＳＣサーバに提供することで当該ＭＳＣサーバに前記認証要求を前記ＵＥに送信させる、提供手段を備える、
請求項１に記載のネットワークノード。
【請求項３】
アウトバウンドローミングのサポートのためのネットワークノードであって、
ユーザ機器（ＵＥ）に乱数（ＲＡＮＤ）値を含む認証要求を送信する送信手段と、
前記ＲＡＮＤ値に基づいて前記ＵＥによって計算された符号付き応答（ＳＲＥＳ）を含む認証応答を受信する受信手段と、を備え、
前記送信手段は、前記認証応答を受信した場合に国際移動体加入者識別番号（ＩＭＳＩ）を含むUpdate Location RequestをInternet Protocol（ＩＰ）マルチメディアサブシステム（ＩＭＳ）集中型サービス制御（ＩＣＳ）インターワーキング機能（ＩＣＳ−ＩＷＦ）に送信し、
前記受信手段は、前記ＩＣＳ−ＩＷＦから、マッピングされた回線交換（ＣＳ）プロファイルとＣＳ設定とを含む加入者データ挿入メッセージ（Insert Subscriber Data message）を受信し、
前記マッピングされたＣＳプロファイルとＣＳ設定とは前記Update Location Requestの送信に基づいて検索されるものである、ネットワークノード。
【請求項４】
前記受信手段は、前記ＩＭＳＩとロケーションエリア識別子（ＬＡＩ）とを含む、Location Update Requestを前記ＵＥから受信し、
前記ＩＭＳＩに基づいて、前記ＵＥが前記ネットワークノードを含むネットワークに属しておらずインバウンドローマであることを検出する検出手段を備え、
前記送信手段は、前記インバウンドローマであることを検出することに基づいて前記ＩＣＳ−ＩＷＦに、ＣＳ認証が認証パラメータ要求で要求されることを示す情報を送信し、
前記受信手段は、ＣＳ認証パラメータを含む認証情報メッセージを受信し、
前記送信手段は、前記認証情報メッセージに基づいて前記ＵＥに前記ＲＡＮＤ値を含む前記認証要求を送信する、
請求項３に記載のネットワークノード。
【請求項５】
請求項１又は２に記載の前記ネットワークノードと、請求項３又は４に記載の前記ネットワークノードとを備えるシステム。
【請求項６】
Internet Procotol（ＩＰ）マルチメディアサブシステム（ＩＭＳ）集中型サービス制御（ＩＣＳ）のためのネットワークノードにおける通信方法であって、
移動通信交換局（ＭＳＣ）サーバが前記ネットワークノードを含むネットワークに属しておらず、インバウンドローマであるユーザ機器（ＵＥ）に送信した認証要求に応じて受信する認証応答に応じて、当該ＭＳＣサーバから、国際移動体加入者識別番号（ＩＭＳＩ）を含むUpdate Location Requestを受信し、
前記Update Location Requestの受信に起因して加入者管理装置（ＨＳＳ）から加入者プロファイル及びサービス設定を検索し、
前記サービス設定と前記加入者プロファイルとを、回線交換（ＣＳ）設定とＣＳプロファイルとにマッピングし、
前記マッピングされたＣＳプロファイルとＣＳ設定とを含む加入者データ挿入メッセージ（Insert Subscriber Data message）を前記ＭＳＣサーバに送信する、
通信方法。
【請求項７】
前記ＭＳＣサーバが前記ＵＥから前記ＩＭＳＩを含むLocation UpdateRequestを受信したことに応じて当該ＭＳＣサーバから、ＣＳ認証が要求されることを示す認証パラメータ要求を受信し、
前記ＨＳＳから前記認証要求のためのＣＳ認証データを検索し、
前記ＣＳ認証データを含む認証情報メッセージを前記ＭＳＣサーバに提供することで当該ＭＳＣサーバに前記認証要求を前記ＵＥに送信させる、
請求項６に記載の通信方法。
【請求項８】
ネットワークノードにおける通信方法であって、
ユーザ機器（ＵＥ）に乱数（ＲＡＮＤ）値を含む認証要求を送信し、
前記ＲＡＮＤ値に基づいて前記ＵＥによって計算された符号付き応答（ＳＲＥＳ）を含む認証応答を受信し、
前記認証応答を受信した場合に国際移動体加入者識別番号（ＩＭＳＩ）を含むUpdate Location RequestをInternet Protocol（ＩＰ）マルチメディアサブシステム（ＩＭＳ）集中型サービス制御（ＩＣＳ）インターワーキング機能（ＩＣＳ−ＩＷＦ）に送信し、
前記ＩＣＳ−ＩＷＦから、マッピングされた回線交換（ＣＳ）プロファイルとＣＳ設定とを含む加入者データ挿入メッセージ(Insert Subscriber Data message)を受信し、
前記マッピングされたＣＳプロファイルとＣＳ設定とは前記Update Location Requestの送信に基づいて検索されるものである、
通信方法。
【請求項９】
前記ＩＭＳＩとロケーションエリア識別子（ＬＡＩ）とを含む、Location Update Requestを前記ＵＥから受信し、
前記ＩＭＳＩに基づいて、前記ＵＥが前記ネットワークノードを含むネットワークに属しておらずインバウンドローマであることを検出し、
前記インバウンドローマであることを検出することに基づいて前記ＩＣＳ−ＩＷＦに、ＣＳ認証が認証パラメータ要求で要求されることを示す情報を送信し、
ＣＳ認証パラメータを含む認証情報メッセージを受信し、
前記認証情報メッセージに基づいて前記ＵＥに前記ＲＡＮＤ値を含む前記認証要求を送信する、
請求項８に記載の通信方法。
【請求項１０】
通信装置に請求項６〜９のいずれか１項に記載の方法を実行させるためのコンピュータプログラム。
【発明の詳細な説明】
【技術分野】
【０００１】
本発明は、モバイル通信機器及びネットワークに関し、下記に限られないが、特に、発展型パケットコア（ＥＰＣ）ネットワークのLong Term Evolution（ＬＴＥ）を含む、第３世代パートナーシッププロジェクト（３ＧＰＰ）規格又はその均等物又は派生物に従って動作するモバイル通信機器及びネットワークに関する。本発明は、下記に限られないが特に、ローミング中の加入者のホームネットワークによってサポートされる、インターネットプロトコル（ＩＰ）マルチメディアサブシステム（ＩＭＳ）及び／又はＩＭＳ集中型サービス（ＩＣＳ）をサポートしない、訪問先（Visited）ネットワークへのアウトバウンドローマのサポートの提供に関連する。
【背景技術】
【０００２】
モバイル（セルラ）通信ネットワークでは、（ユーザ）通信機器（ユーザ機器（ＵＥ）、例えばモバイル電話機としても知られている）が、基地局を介してリモートサーバ又は他の通信機器と通信する。そのようなユーザ機器がネットワークと接続することができる接続の種類は、音声呼等のために主に使用される回線交換（ＣＳ）接続、及びデータパケット（例えば、ＩＰパケット）を通信するためのパケット交換（ＰＳ）接続を含む。各基地局は、コアネットワーク（ＩＭＳ又はＥＰＣネットワーク等）に接続され、そしてコアネットワークは、ユーザのためのエンドツーエンドの接続を提供するために他のネットワークに接続される。
【０００３】
３ＧＰＰは、ユーザ機器に対するＩＰベースマルチメディアサービスを可能にするための、多くの場合にＩＰマルチメディアサブシステム（ＩＭＳ）と呼ばれる、ＩＰマルチメディアコアネットワークサブシステムを規定した。ＩＭＳのいわゆる、プロキシ呼セッション制御機能（Ｐ−ＣＳＣＦ）が、ＩＭＳに接続されたＵＥとセッション開始プロトコル（ＳＩＰ）シグナリングを交換する責任を担う。Ｐ−ＣＳＣＦは、特定のＵＥとＰ−ＣＳＣＦとの間で交換されるＳＩＰシグナリングの適切な暗号化を容易にするために、接続されるＵＥごとのそれぞれのＵＥセキュリティ及びＩＰセッションパラメータを記憶する。
また、Ｐ−ＣＳＣＦは、ＵＥごとのＩＰセッションのために必要なリソースを割り当てる責任を担い、かつ特定のＵＥのためにふさわしい次のホップのＣＳＣＦ（そのＵＥのために実行された登録プロセス中に決定される）との間でメッセージを転送する責任を担う。
【０００４】
ＩＭＳは３ＧＰＰ技術仕様書（ＴＳ）２３．２２８  Ｖ１３．４．０において規定され、セッション開始プロトコル（Ｖ２．０）は、インターネット・エンジニアリング・タスクフォース（ＩＥＴＦ）によってＲＦＣ３２６１において規定されており、それらの文書の内容は参照により本明細書に援用される。
【０００５】
ＩＭＳ集中型サービス（ＩＣＳ）は、３ＧＰＰにおいて、リリース８以降のいくつかの仕様書において規定された。自らの移動通信交換局（ＭＳＣ）に向かうレガシーな回線交換（ＣＳ）アクセスを依然として使用しているユーザ機器（ＵＥ）に対して、ＩＭＳにおいて補完サービスを実行するために２つの基本的な手法がある。１つの手法は、ＭＳＣの機能拡張に、すなわち、ＭＳＣがＵＥの代わりにＳＩＰユーザエージェントとしての役割を果たすことができるようにすることによる機能拡張に、基づく。他の手法は、それより好ましくないが、ＵＥがアプリケーションサーバ（ＡＳ）と直接（すなわち、ＭＳＣ及び／又はＩＭＳからのサポートを必要とすることなく）やりとりできるようにするために、ＵＥの動作を拡張させることを必要とする。
【０００６】
現在の解決策は、ネットワークにおける（適切な場合には、他のネットワークとの組み合わせにおける）ＩＭＳ及びＩＣＳ機能の様々なサポートのレベルの変形例を含む。より一般的なオプションのうちの１つは、いわゆる、ＭＳＣサーバ（又は「ＭＳＣ−Ｓ」）であり、それによれば、事業者がレガシーなＣＳネットワークからＩＭＳに移行できるようになり、それゆえ、レガシーなＵＥの加入者にもＩＭＳサービスを提供できるようになる。実際上、ＭＳＣ−Ｓは、複数の基地局のあるネットワークにローミングしている移動体電話機のための回線交換及びモビリティ管理機能を制御する、コアネットワーク要素である。ＭＳＣ−Ｓは、「ＭＳＣサーバ」、「ＭＳＳ」又は「ＭＴＳ−Ｕ」と呼ばれえる。
【０００７】
ＵＥが、レガシーなＣＳプロトコルを用いて（ＩＣＳ対応の）ＭＳＣ−Ｓに接続するとき、ＭＳＣ−Ｓは、そのＵＥのＳＩＰシグナリングを扱うために、適切なＩＭＳエンティティ、例えば、アプリケーションサーバ（ＡＳ）やＣＳＣＦに接続する。また、ＭＳＣ−Ｓは、そのＵＥが使用するＣＳコーデックを適切なＩＭＳコーデックにトランスコードするためのメディアゲートウェイにも接続する。もしＵＥがローミング中のＵＥであるなら、訪問先ネットワーク内のＭＳＣ−Ｓは、加入者プロファイルを訪問者位置登録機（ＶＬＲ）にダウンロードするために、ホームネットワークの加入者位置登録機（ＨＬＲ）とも交信する。ＩＣＳに関する更なる詳細は、３ＧＰＰ  ＴＳ  ２３．０６０  Ｖ１３．４．０、３ＧＰＰ  ＴＳ  ２３．２２８  Ｖ１３．４．０、３ＧＰＰ  ＴＳ  ２３．２９２  Ｖ１３．２．０及びＧＳＭＡ  ＩＲ．６４  Ｖ１２．０に存在し、それらの文書の内容は参照により本明細書に援用される。
【先行技術文献】
【非特許文献】
【０００８】
【非特許文献１】3GPP TS 23.060, General Packet Radio Service (GPRS); Service description; Stage 2, v13.4.0, 2015-09-22
【非特許文献２】3GPP TS 23.228, IP Multimedia Subsystem (IMS); Stage 2, v13.4.0, 2015-09-22
【非特許文献３】3GPP TS 23.292, IP Multimedia Subsystem (IMS) centralized services; Stage 2, v13.2.0, 2015-06-21
【非特許文献４】GSMA IR.64, IMS Service Centralization and Continuity Guidelines, V12.0, 2015-09-15
【非特許文献５】3GPP Tdoc: S2-143750, New Work Item Description on Service Domain Centralization, October 2014
【非特許文献６】3GPP Tdoc: S2-153652, New Work Item Description on Service Domain Centralization, October 2015
【発明の概要】
【発明が解決しようとする課題】
【０００９】
しかしながら、自らのコアネットワークからＣＳの構成要素を完全に取り除きたい、及び／又はレガシーなＣＳのやりとりのサポートを自らのネットワークのエッジに移行させたい事業者もある。この需要は、例えば、３ＧＰＰ  Ｔｄｏｃ番号Ｓ２−１４３７５０及びＳ２−１５３６５２（共に、「New Work Item Description on Service Domain Centralization」と題する）において言及されているが、３ＧＰＰ規格ではこれまで検討されてこなかった。
【００１０】
ＣＳの構成要素が存在しない場合、及び／又はレガシーなＣＳとのやりとりのサポートがない場合に、ネットワーク事業者は、ＩＭＳを有しない及び／又はＩＣＳをサポートしない、他のネットワークを介して自らの加入者のためのアウトバウンドローミングサービスを提供できない場合があることを、本発明者らは理解している。言い換えると、ホームネットワークのみがＩＣＳ／ＩＭＳをサポートするときに、いかなるＩＣＳ／ＩＭＳもサポートせず、ＩＭＳ加入者も有せず、ホームネットワークとのＩＭＳに関するいかなるサービスレベル合意も有しない、訪問先ネットワークにおいてどのようにしてアウトバウンドローミングサービスを提供するかに関して課題がある。
【００１１】
したがって、本発明の好ましい実施形態は、上記の課題を克服するか、又は少なくとも或る程度軽減する方法及び装置を提供することを目的とする。
【課題を解決するための手段】
【００１２】
本発明の態様は、対応するシステム、方法、並びに上記で示した又は特許請求の範囲において記載される態様及び可能な形態において記載されるような方法を実行するようにプログラマブルプロセッサをプログラムするように、及び／又は特許請求の範囲のいずれかの請求項において記載される装置を提供するように適切に構成されたコンピュータをプログラムするように動作可能である命令が記憶されたコンピュータ可読記憶媒体のようなコンピュータプログラム製品にまで及ぶ。
【００１３】
本明細書（特許請求の範囲を含む）において開示され、及び／又は図面において示される各特徴は、開示され、及び／又は図示される任意の他の特徴から独立して（又はそれらと組み合わせて）本発明に組み込まれてもよい。詳細には、限定はしないが、特定の独立請求項に従属する請求項のうちのいずれかの特徴は、任意の組み合わせにおいて又は個々に、その独立請求項に取り込まれてもよい。
【図面の簡単な説明】
【００１４】
【図１】本発明の例示的な実施形態が適用可能であるタイプのモバイル（セルラ）通信システムを示す図である。
【図２】図１に示されるシステムのＭＳＣ−Ｓの主要な機能を示すブロック図の一例である。
【図３】図１に示されるシステムのＩＣＳ  ＩＷＦの主要な機能を示すブロック図の一例である。
【図４】図１に示されるシステムのＨＳＳの主要な機能を示すブロック図の一例である。
【図５】図１に示されるシステムのＣＳＣＦの主要な機能を示すブロック図の一例である。
【図６】本発明の例示的な実施形態を実行する際、図１のモバイル通信システムの構成要素によって実行される方法を示すタイミング図の一例である。
【図７】本発明の例示的な実施形態を実行する際、図１のモバイル通信システムの構成要素によって実行される方法を示す別のタイミング図の一例である。
【図８】本発明の例示的な実施形態を実行する際、図１のモバイル通信システムの構成要素によって実行される方法を示す更に別のタイミング図の一例である。
【図９】図８に示されるタイミング図の変更形態の図である。
【図１０】（ローミング中のモバイル機器の）訪問先ネットワークに向かって着信呼を設定するための呼フローを示す図である。
【発明を実施するための形態】
【００１５】
概説
図１は、モバイル（セルラ）通信ネットワーク１を概略的に示しており、モバイル機器（ＵＥ３等）のユーザが適切な無線アクセス技術（ＲＡＴ）、例えば、Ｅ−ＵＴＲＡ等を用いて、基地局及びコアネットワークを介して、互いに他のユーザと通信することができる。当業者であればわかるように、説明のため、図１には１つのモバイル機器３が示されているが、システムは実装時に通常、他のモバイル機器を含んでもよい。
【００１６】
見てわかるように、ネットワーク１は、モバイル機器３が現在ローミングしている訪問先公衆陸上移動体ネットワーク（ＶＰＬＭＮ）１０の部分と、モバイル機器３が加入者であるホーム公衆陸上移動体ネットワーク（ＨＰＬＭＮ）２０の部分とを含む。以下において、ＨＰＬＭＮの部分は単に、ホームネットワーク２０と呼ばれ、ＶＰＬＭＮの部分は、（モバイル機器３の）訪問先ネットワーク１０と呼ばれる。
【００１７】
この例において、ホームネットワーク２０はＩＣＳ及び／又はＩＭＳのみをサポートする（それゆえ、モバイル機器３は、ＩＣＳ及び／又はＩＭＳ技術、例えば、回線交換（ＣＳ）接続を用いて、自らのホームネットワーク２０と通信すると予想される）。しかしながら、モバイル機器３は、ＩＣＳ及び／又はＩＭＳ技術以外に対応し、自らのホームネットワーク２０の能力の理由からＣＳ接続を利用する、ＩＭＳ（ＬＴＥ）ＵＥを含んでもよいもわかるだろう。
【００１８】
この例における訪問先ネットワーク１０は、ホームネットワーク２０によってサポートされたＩＣＳ及び／又はＩＭＳをサポートしない。例えば、訪問先ネットワーク１０は、ＬＴＥコアネットワークをサポートしてもよく、そのネットワークは、発展型パケットコア（ＥＰＣ）ネットワークと呼ばれてもよい。しかしながら、訪問先ネットワーク１０は、適切な場合には、任意の非ＩＣＳ又は非ＩＭＳネットワークを含んでよいことがわかるだろう。
【００１９】
ＶＰＬＭＮは、実際には、ここではＣＳコアネットワーク（ＭＧＷ、ＨＬＲを備えるＭＳＣサーバ）の視点からのみ検討される。ＶＰＬＭＮは、ＧＰＲＳ／ＬＴＥコアネットワークを有してもよいが、本発明の場合には不要である。その観点から、ＶＰＬＭＮ内のコアネットワークタイプは、今後の検討が必要である。ＭＭＥから要求がくるときの、コンバインドアタッチ／ロケーション更新の場合にのみＭＭＥが言及される。
【００２０】
したがって、訪問先ネットワーク１０は、特に、１つ以上の基地局（ＬＴＥにおいて「ｅＮＢ」と呼ばれる、図１には示されない）と、移動通信交換局サーバ（ＭＳＣ−Ｓ）１２と、加入者位置登録機（ＨＬＲ）／加入者情報管理装置（ＨＳＳ）１４と、移動管理装置（ＭＭＥ）１６と、メディアゲートウェイ（ＭＧＷ）１８とを含む。図示されるように、訪問先ネットワーク１０の複数のノードは、適切な（標準的な）インターフェースを用いて互いに結合される。モバイル機器３及びそのサービング基地局は適切な無線インターフェース（例えば、「Ｕｕ」インターフェースのようなＬＴＥ無線インターフェース）を介して接続され、それゆえ、モバイル機器３は、回線交換（ＣＳ）接続を用いて（サービング基地局を介して）ＭＳＣ−Ｓ１２に接続される。それゆえ、モバイル機器３は、そのサービング基地局及びＭＳＣ−Ｓ１２を介して、訪問先ネットワーク１０の他のノードに接続することができる。
【００２１】
ホームネットワーク２０は、特に、ＩＣＳインターワーキング機能（ＩＣＳ  ＩＷＦ）２２と、ＨＳＳ２４と、アプリケーションサーバ（ＡＳ）２６と、ＣＳＣＦ２８とを含む。また、複数のホームネットワークノードは、図示されるように、適切な（標準的な）インターフェースを用いて互いに接続される。
【００２２】
ＭＳＣ−Ｓ１２は、このＭＳＣ−Ｓ１２に接続される基地局によって扱われるモバイル機器のための呼設定及び（訪問先ネットワーク１０内の）モビリティを管理する責任を担う。ＭＳＣ−Ｓ１２は、モバイル機器３とＡＳ２６及び／又はＣＳＣＦ２８との間のＳＩＰシグナリングを搬送するために、ＡＳ２６及びＣＳＣＦ２８と互いに接続する。訪問先ネットワーク１０はＩＣＳ／ＩＭＳをサポートしないので、図１に示されるＭＳＣ−Ｓ１２は、「非ＩＣＳ」ノードと記される。
【００２３】
ＨＬＲ／ＨＳＳ１４は、加入者データ、例えば、訪問先ネットワーク１０の加入者の加入者情報／加入者プロファイルを記憶し、管理する責任を担う。同様に、ＨＳＳ２４は、ホームネットワーク２０の加入者（この例では、モバイル機器３）の加入者データを記憶し、管理する責任を担う。ホームネットワーク２０はＩＣＳ  ＩＷＦ２２（後に詳細に説明される）を有益に含むので、ホームネットワーク２０において加入者位置登録機能を実装する必要はない。
【００２４】
周知のように、モバイル機器３が通信ネットワーク１によってカバーされる地理的エリア内で動き回るときに、モバイル機器３は、種々の基地局によって扱われるエリア（すなわち、無線セル）に出入りしてよい。ＭＭＥ１６は、モバイル機器３を追跡する責任と、及び異なる基地局間でモバイル機器３の移動を容易にする責任とを担う。
【００２５】
ＭＧＷ１８は、モバイル機器３と、モバイル機器３と通信しているリモート側の端点とによって使用される複数のコーデック（異なる場合）間でトランスコードする責任を担う。
【００２６】
ＩＣＳ  ＩＷＦ２２は、ホームネットワーク２０の加入者（この例では、モバイル機器３）が他の複数のネットワーク（この例では、訪問先ネットワーク１０）にローミングするのを容易にするために、ＭＳＣ−Ｓ１２のような他の複数のネットワークの複数のノードと連携する責任を担う。ＩＣＳ  ＩＷＦ２２は、訪問先ネットワーク１０に対してホームネットワーク２０のＨＬＲとしての役割を有益に果たし、プロトコルに関係のない、訪問先ネットワーク１０へのモバイル機器３のアクセスを許可するためのＣＳ認証及び／又は第三者からの登録に関連するメッセージを取り扱う。
【００２７】
ＡＳ２６は、モバイル機器３（内の適切なアプリケーション）と、ＡＳ２６（及び／又はそれに接続されるノード）によってホストされる、対応するアプリケーションとの間の終端間通信の責任を担う。ＣＳＣＦ２８は、モバイル機器３のＩＭＳ呼セッション制御機能を実装するＳＩＰサーバである。ＣＳＣＦ２８は、プロキシＣＳＣＦ（Ｐ−ＣＳＣＦ）、問い合わせＣＳＣＦ（Ｉ−ＣＳＣＦ）及びサービングＣＳＣＦ（Ｓ−ＣＳＣＦ）のうちの少なくとも１つとして構成されてよい。また、ＣＳＣＦ２８は、ＨＳＳ２４と通信するためのＤＩＡＭＥＴＥＲプロトコル（図１において「Ｃｘ」で示される）もサポートする。当業者であればわかるように、説明のため、図１には１つのＡＳ２６及び１つのＣＳＣＦ２８が示されるが、そのシステムは、実装される際には、典型的には、他のアプリケーションサーバ及びＣＳＣＦを含んでもよい。
【００２８】
このシステムにおいて、ＩＣＳ  ＩＷＦ２２は、モバイル機器３が訪問先ネットワーク１０にローミング中に依然としてレガシーなＣＳプロトコルを使用することができるように、ホームネットワーク２０の複数のノードと訪問先ネットワーク１０の複数のノードとの間の通信を容易にするように有益に構成される。より具体的には、ＩＣＳ  ＩＷＦ２２は、訪問先ネットワークがＩＣＳをサポートするか否かにかかわらず、訪問先ネットワーク１０へのアウトバウンドローミングユーザのアクセスを許可するように構成される。
【００２９】
これは、ＩＣＳ  ＩＷＦ２２を、適切なインターフェース（図１において参照点「Ｉｃｓ１」〜「Ｉｃｓ６」で示される）を介して、ホームネットワーク及び訪問先ネットワークのいくつかのノードに接続することによって可能となる。参照点Ｉｃｓ１〜Ｉｃｓ６は、選択されるプロトコルと、ＩＣＳ  ＩＷＦ２２の併置される機能とに応じて、既存の参照点（例えば、Ｉ３、ＩＳＣ、Ｃｘ、Ｍｗ、Ｓｈ、Ｉ２等の参照点の更新されたバージョン）を含んでよいことがわかるだろう。また、参照点Ｉｃｓ１〜Ｉｃｓ６の全てが必要とされなくてもよい（それゆえ、図１において破線で示される）こともわかるだろう。
【００３０】
このようにして、このシステムにおいて、ＩＣＳ対応ホームネットワーク２０に属するモバイル機器３は、非ＩＣＳ対応訪問先ネットワーク１０にローミングすることができる。この例において、訪問先ネットワークへの登録は、モバイル機器３がＭＳＣ−Ｓ１２にLocation Update Requestメッセージを送信し、このメッセージ内に、自らの関連する国際移動体加入者識別番号（ＩＭＳＩ）と、モバイル機器３が現在位置するエリア（セル）に関連付けられるロケーションエリア識別子（ＬＡＩ）とを含むことによって開始される。ＩＭＳＩに基づいて、ＭＳＣ−Ｓ１２は、モバイル機器３がホームネットワーク２０に属する（すなわち、モバイル機器３がローミング中のＵＥである）と判断する。それゆえ、ＭＳＣ−Ｓ１２は、ＩＣＳ  ＩＷＦ２２（ホームネットワーク２０のＨＬＲとしての役割を果たしている）と交信し、ＣＳ認証がモバイル機器３のために必要とされることを示す。また、ＭＳＣ−Ｓ１２は、モバイル機器３のために適した複数の認証パラメータも要求する。
【００３１】
ホームネットワーク２０内にＨＬＲ機能がないとき、ＩＣＳ  ＩＷＦ２２は、ＨＳＳ２４から（例えば、ＤＩＡＭＥＴＥＲ又はＳＩＰシグナリングを用いて）必要なＣＳ認証データを検索するように構成され、適切な認証パラメータをＭＳＣ−Ｓ１２に返送する。返送された認証パラメータを用いて、ＭＳＣ−Ｓ１２は、モバイル機器３のためのＣＳ認証手続をトリガすることができる。この手続は通常、ＭＳＣ−Ｓ１２がモバイル機器３に「ＲＡＮＤ」値（ＩＣＳ  ＩＷＦ２２を介してＨＳＳ２４から受信された乱数）を送信することと、モバイル機器３が対応する符号付き応答（ＳＲＥＳ）を計算し、ＭＳＣ−Ｓ１２に返送することとを含む。
【００３２】
いったんＣＳ認証手続が成功すると（すなわち、モバイル機器３がＲＡＮＤチャレンジのための正しいＳＲＥＳ値を返送したとＭＳＣ−Ｓ１２が判断するとき）、ＭＳＣ−Ｓ１２は、モバイル機器３のＩＭＳＩと移動局ローミング番号（ＭＳＲＮ）とともにUpdate Location Requestを（ホームネットワーク２０のＨＬＲとしての役割を果たす）ＩＣＳ  ＩＷＦ２２に送信する。
【００３３】
ＩＣＳ  ＩＷＦ２２は、ＨＳＳから加入者プロファイル及びサービス設定を検索し、それらを、ＣＳ設定とＣＳプロファイルにマッピングする。ＩＣＳ  ＩＷＦ２２は、通常のＶＬＲ−ＨＬＲ手続に従って、加入者データ挿入メッセージ（Insert Subscriber Data message）で応答する。ＭＳＣ−Ｓ１２は、通常の手続に従って暗号化を開始する。
【００３４】
ＭＳＣ−Ｓ１２は、通常のＶＬＲ−ＨＬＲ手続に従って、加入者データ挿入確認応答（Subscriber Data Insert Acknowledgement）及びロケーション更新確認応答（Location Update Acknowledgement）を交換する。
【００３５】
必要な場合には、ＩＣＳ  ＩＷＦ２２は、モバイル機器３のための終了セッションを訪問先ネットワーク１０にリダイレクトできるようにするために、ホームネットワーク２０への、いわゆる、第三者からの登録も実行する。
【００３６】
この例において、訪問先ネットワークにおいて使用されるプロトコル及び／又は手続へのいかなる変更も必要とすることなく、訪問先ネットワーク内にレガシー（非ＩＣＳ）のＭＳＣを設ければ十分有益である。さらに、（ＩＣＳ）ホームネットワーク内にレガシーのＨＬＲを設ける必要もない。
【００３７】
移動通信交換局サーバ
図２は、図１に示されるＭＳＣ−Ｓ１２の主な構成要素を示すブロック図である。図示されるように、ＭＳＣ−Ｓ１２は、他のネットワークノード（ＵＥ３及びＩＣＳ  ＩＷＦ２２等）に信号を送信し、他のネットワークから信号を受信するためのトランシーバ回路３１及びネットワークインターフェース３３を有する。ＭＳＣ−Ｓ１２は、ＭＳＣ−Ｓ１２の動作を制御するコントローラ３５を有する。コントローラ３５は、メモリ３７に関連付けられる。
【００３８】
ソフトウェアがメモリ３７にプレインストールされてもよく、及び／又は通信ネットワーク１を介して、若しくは、例えば、リムーバブルデータ記憶デバイス（ＲＭＤ）からダウンロードされてもよい。コントローラ３５は、この例では、メモリ３７内に記憶されるプロセッサ命令又はソフトウェア命令によって、ＭＳＣ−Ｓ１２の動作全体を制御するように構成される。図示されるように、これらのソフトウェア命令は、特に、オペレーティングシステム３９と、通信制御モジュール４１と、認証モジュール４３と、ローミングサポートモジュール４５と、ネットワークインターワーキングモジュール４７とを含む。
【００３９】
通信制御モジュール４１は、ＭＳＣ−Ｓ１２と、ＭＳＣ−Ｓ１２に接続される他の複数のネットワークエンティティ（例えば、ＵＥ３、ＨＬＲ／ＨＳＳ１４、ＭＭＥ１６、ＭＧＷ１８及びＩＣＳ  ＩＷＦ２２）との間の通信を制御する。
【００４０】
認証モジュール４３は、適切にフォーマット設定された複数の認証チャレンジを生成し、送信し、複数の応答を受信することによって、このＭＳＣ−Ｓ１２に接続された複数のモバイル機器を認証する責任を担う。例えば、ＣＳ認証のために、認証モジュール４３は、モバイル機器３に適切なＲＡＮＤ値を送信し、モバイル機器３から返送されるＳＲＥＳを受信する（そして、受信されたＳＲＥＳをモバイル機器３のＨＳＳから取得されたＳＲＥＳと比較する）ように構成される。
【００４１】
ローミングサポートモジュール４５は、このＭＳＣ−Ｓ１２に接続される特定のモバイル機器３が訪問先ネットワーク１０とは異なるネットワークに属するか否かを判断する責任を担う。
【００４２】
ネットワークインターワーキングモジュール４７は、他の複数のネットワーク（例えば、ホームネットワーク２０）とのインターフェース（「Ｉｃｓ３」インターフェース等）を介して使用される、プロトコルに従ってフォーマット設定された複数のシグナリングメッセージを取り扱う（生成し、送信し、受信する）責任を担う。そのような複数のシグナリングメッセージは、例えば、モバイル機器３が訪問先ネットワーク１０内にローミング中であるときに、モバイル機器３を登録し、認証するための複数のメッセージ及び複数の関連する応答を含んでよい。
【００４３】
ＩＣＳインターワーキング機能
図３は、図１に示すＩＣＳ  ＩＷＦ２２の主要な構成要素を示すブロック図である。図示されるように、ＩＣＳ  ＩＷＦ２２は、他の複数のネットワークノード（ＭＳＣ−Ｓ１２及びＨＳＳ２４）との間で信号を送受信するためのトランシーバ回路５１及びネットワークインターフェース５３を有する。ＩＣＳ  ＩＷＦ２２は、ＩＣＳ  ＩＷＦ２２の動作を制御するコントローラ５５を有する。コントローラ５５は、メモリ５７に関連付けられる。
【００４４】
ソフトウェアは、メモリ５７内に予めインストールされてよく、及び／又は、例えば通信ネットワーク１を介して若しくは取り外し可能なデータ記憶デバイス（ＲＭＤ）からダウンロードされてもよい。コントローラ５５は、この例では、メモリ５７内に記憶されたプログラム命令又はソフトウェア命令によってＩＣＳ  ＩＷＦ２２の全体動作を制御するように構成される。図示されるように、これらのソフトウェア命令は、特に、オペレーティングシステム５９と、通信制御モジュール６１と、ＳＩＰ／ＤＩＡＭＥＴＥＲモジュール６４と、ネットワークインターワーキングモジュール６７とを含む。
【００４５】
通信制御モジュール６１は、ＩＣＳ  ＩＷＦ２２と、ＩＣＳ  ＩＷＦ２２に接続された他のネットワークエンティティ（例えば、ＭＳＣ−Ｓ１２、ＨＳＳ２４、１つ又は複数のアプリケーションサーバ２６、及び１つ又は複数のＣＳＣＦ２８）との間の通信を制御する。
【００４６】
ＳＩＰ／ＤＩＡＭＥＴＥＲモジュール６４は、セッション開始及び／又は（適用可能な場合）ＤＩＡＭＥＴＥＲプロトコルに従ってフォーマット設定された、複数のシグナリングメッセージを取り扱う（生成し、送信し、受信する）責任を担う。そのような複数のＳＩＰ／ＤＩＡＭＥＴＥＲメッセージは、ＨＳＳ２４から、モバイル機器３に関連付けられるＣＳ認証パラメータ／加入者プロファイルを検索することに、かつ、ホームネットワーク２０においてモバイル機器３の第三者からの登録を実行することに関連してよい。
【００４７】
ネットワークインターワーキングモジュール６７は、他のネットワーク（例えば、訪問先ネットワーク１０）とのインターフェース（「Ｉｃｓ３」インターフェース等）を介して使用されるプロトコルに従ってフォーマット設定された、複数のシグナリングメッセージを取り扱う（生成し、送信し、受信する）責任を担う。そのような複数のシグナリングメッセージは、例えば、モバイル機器３が訪問先ネットワーク１０内にローミング中であるときに、モバイル機器３を登録し、認証するための複数のメッセージ及び複数の関連する応答を含んでよい。
【００４８】
加入者情報管理装置
図４は、図１に示すＨＳＳ２４の主要な構成要素を示すブロック図である。図示されるように、ＨＳＳ２４は、他のネットワークノード（ＩＣＳ  ＩＷＦ２２等）との間で信号を送受信するためのトランシーバ回路７１及びネットワークインターフェース７３を有する。ＨＳＳ２４は、ＨＳＳ２４の動作を制御するコントローラ７５を有する。コントローラ７５は、メモリ７７に関連付けられる。
【００４９】
ソフトウェアは、メモリ７７にプレインストールされてよく、及び／又は通信ネットワーク１を介して、若しくは、例えば、リムーバブルデータ記憶デバイス（ＲＭＤ）からダウンロードされてもよい。コントローラ７５は、この例では、メモリ７７内に記憶されるプログラム命令又はソフトウェア命令によって、ＨＳＳ２４の動作全体を制御するように構成される。図示されるように、ソフトウェア命令は、特に、オペレーティングシステム７９と、通信制御モジュール８１と、ＳＩＰ／ＤＩＡＭＥＴＥＲモジュール８４と、ＣＳ認証データモジュール８６と、加入者プロファイルモジュール８８とを含む。
【００５０】
通信制御モジュール８１は、ＨＳＳ２４と、ＨＳＳ２４に接続された他のネットワークエンティティ（例えば、ＩＣＳ  ＩＷＦ２２、ＡＳ２６及びＣＳＣＦ２８）との間の通信を制御する。
【００５１】
ＳＩＰ／ＤＩＡＭＥＴＥＲモジュール８４は、セッション開始及び／又は（適用可能な場合）ＤＩＡＭＥＴＥＲプロトコルに従ってフォーマット設定された、複数のシグナリングメッセージを取り扱う（生成し、送信し、受信する）責任を担う。そのような複数のＳＩＰ／ＤＩＡＭＥＴＥＲメッセージは、ＩＣＳ  ＩＷＦ２２によって、モバイル機器３に関連付けられるＣＳ認証パラメータ／加入者プロファイルを検索することに、かつ、ホームネットワーク２０内のモバイル機器３の第三者からの登録を実行することに関連してよい。
【００５２】
ＣＳ認証データモジュール８６は、複数のＲＡＮＤ値及び複数の対応するＳＲＥＳ値のような、ＣＳ認証手続に関連するデータを取り扱う（生成し、記憶し、他のノードに提供する）責任を担う。
【００５３】
加入者プロファイルモジュール８８は、ホームネットワーク２０の加入者（例えば、モバイル機器３の加入者）に関連付けられた、加入者プロファイル（及び適切な加入者パラメータ）を記憶する。加入者ごとに、加入者プロファイルは、特に、加入者を認証する際に使用されてよい、関連するＩＭＳＩ及び認証鍵（例えば、Ｋｃ等）を含む。
【００５４】
ＣＳＣＦ
図５は、図１に示されるＣＳＣＦ２８の主要な構成要素を示すブロック図である。図示されるように、ＣＳＣＦ２８は、他のネットワークノード（ＩＣＳ  ＩＷＦ２２等）との間で信号を送受信信するためのトランシーバ回路９１及びネットワークインターフェース９３を有する。ＣＳＣＦ２８は、ＣＳＣＦ２８の動作を制御するコントローラ９５を有する。コントローラ９５は、メモリ９７に関連付けられる。
【００５５】
ソフトウェアは、メモリ９７にプレインストールされてよく、及び／又は通信ネットワーク１を介して、若しくは、例えば、リムーバブルデータ記憶デバイス（ＲＭＤ）からダウンロードされてもよい。コントローラ９５は、この例では、メモリ９７内に記憶されるプログラム命令又はソフトウェア命令によって、ＣＳＣＦ２８の動作全体を制御するように構成される。図示されるように、これらのソフトウェア命令は、特に、オペレーティングシステム９９と、通信制御モジュール１０１と、ＳＩＰ／ＤＩＡＭＥＴＥＲモジュール１０４とを含む。
【００５６】
通信制御モジュール１０１は、ＣＳＣＦ２８と、ＣＳＣＦ２８に接続された他のネットワークエンティティ（例えば、ＩＣＳ  ＩＷＦ２２、ＨＳＳ２４、ＡＳ２６及びＣＳＣＦ２８）との間の通信を制御する。
【００５７】
ＳＩＰ／ＤＩＡＭＥＴＥＲモジュール１０４は、セッション開始及び／又は（適用可能な場合）ＤＩＡＭＥＴＥＲプロトコルに従ってフォーマット設定された、複数のシグナリングメッセージを取り扱う（生成し、送信し、受信する）責任を担う。そのような複数のＳＩＰ／ＤＩＡＭＥＴＥＲメッセージは、モバイル機器３に関連付けられる複数のＣＳ認証パラメータ／加入者プロファイルを検索することに、かつ、ホームネットワーク２０においてモバイル機器３の第三者からの登録を実行することに関連してよい。
【００５８】
上記の説明において、ＭＳＣ−Ｓ１２、ＩＣＳ  ＩＷＦ２２、ＨＳＳ２４及びＣＳＣＦ２８を、理解を容易にするために、複数の別個のモジュール（通信制御モジュール、ネットワークインターワーキングモジュール、及びＳＩＰ／ＤＩＡＭＥＴＥＲモジュール等）を有するものとして説明した。これらのモジュールは、或る特定の応用形態の場合、例えば、本発明を実施するために既存のシステムが変更された場合には、このようにして設けられてよい、他の応用形態、例えば、最初から本発明の特徴を念頭に置いて設計されるシステムでは、これらのモジュールをオペレーティングシステム又はコード全体の中に組み込むことができるので、これらのモジュールを別個の実体として区別可能でなくてもよい。これらのモジュールは、ソフトウェア、ハードウェア、ファームウェア又はこれらの組み合わせにおいて実施されてもよい。
【００５９】
動作
図６は、モバイル機器３が非ＩＣＳ対応訪問先ネットワーク１０にローミングしているときに、図１の通信システム１の構成要素によって実行される方法を示すタイミング図の一例である。
【００６０】
上記で説明したように、モバイル機器３は、ＩＣＳ（ＩＭＳ）対応ホームネットワーク２０に属し、現在、非ＩＣＳ／非ＩＭＳ訪問先ネットワーク１０にローミングしている。したがって、図６に包括的に示されるように、訪問先ネットワーク１０のノードは、レガシーのＣＳプロトコルを用いて互いに通信するように構成され、一方、ホームネットワーク２０のノードは、ＳＩＰ及び／又はＤＩＡＭＥＴＥＲプロトコルを用いて互いに通信するように構成される。
【００６１】
この例において、モバイル機器３は、ステップＳ６０１において、適切にフォーマット設定された要求（例えば、「Location Update Request」）を生成し、ＭＳＣ−Ｓ１２に送信することによって、訪問先ネットワーク１０での登録手続を開始する。モバイル機器３は、このメッセージ内に、自らの関連する国際移動体加入者識別番号（ＩＭＳＩ）と、モバイル機器３が現在位置するエリア（セル）に関連付けられたロケーションエリア識別子（ＬＡＩ）とを含める。
【００６２】
ＩＭＳＩに基づいて、ＭＳＣ−Ｓ１２は、（自らのローミングサポートモジュール４５を用いて）モバイル機器３がローミング中のＵＥであり、ホームネットワーク２０に属すると判断する。したがって、ＭＳＣ−Ｓ１２は、モバイル機器３を認証するためのパラメータ（ＣＳ認証データ）を取得するために、ホームネットワーク２０のＨＬＲと交信する必要がある。しかしながら、ホームネットワーク２０はＩＣＳ（ＩＭＳ）ネットワークであるので、ＨＬＲは設けられていない。
【００６３】
それゆえ、自らのネットワークインターワーキングモジュール４７を用いて、ステップＳ６０２において、ＭＳＣ−Ｓ１２は、適切にフォーマット設定されたシグナリングメッセージを生成し、ＩＣＳ  ＩＷＦ２２（ホームネットワーク２０のＨＬＲとしての役割を果たす）に送信し、必要なＣＳ認証パラメータを与えるようにＩＣＳ  ＩＷＦ２２に要求する。ＭＳＣ−Ｓ１２は、そのメッセージ（例えば、「認証パラメータ要求」等）内に、モバイルデバイス３に関連付けられるＩＭＳＩを含める。
【００６４】
ＭＳＣ−Ｓ１２からの要求に応答して、ＩＣＳ  ＩＷＦ２２は、ＨＳＳ２４から必要なＣＳ認証データを、直接又は間接的に検索する（ステップＳ６０３において包括的に示される）。ＩＣＳ  ＩＷＦ２２は、例えば、（ＨＳＳ２４からＣＳ認証データを直接検索するとき）ＤＩＡＭＥＴＥＲシグナリングを、又は（ＨＳＳ２４からＣＳ認証データを間接的に、例えば、ＣＳＣＦ２８を介して検索するとき）ＳＩＰシグナリングを、使用してもよいことがわかるだろう。ＣＳ認証データの検索のための種々のオプションに関する更なる詳細については、図７〜図９を参照しながら以下に説明することになる。
【００６５】
この例において、ＨＳＳ２４は、モバイル機器３に関連付けられるＩＭＳＩ、モバイル機器３に関連付けられる認証鍵（例えば、Ｋｃ）、及び対応する応答（ＳＲＥＳ）を持つ乱数（ＲＡＮＤ）を含む、要求されたＣＳ認証データをＩＣＳ  ＩＷＦ２２に返送する。それゆえ、ＩＣＳ  ＩＷＦ２２は、ステップＳ６０４において、（自らのネットワークインターワーキングモジュール６７を用いて）適切にフォーマット設定されたシグナリングメッセージ（例えば、「認証情報」メッセージ）を生成し、ＭＳＣ−Ｓ１２に送信し、このメッセージ内にＨＳＳ２４からのＣＳ認証データを含める。
【００６６】
受信したＣＳ認証データを用いて、ＭＳＣ−Ｓ１２は、次に、モバイル機器３でのＣＳ認証手続を実行する。そのために、ＭＳＣ−Ｓ１２は、ステップＳ６０５において、（自らの認証モジュール４３を用いて）受信したＲＡＮＤ値を含む適切にフォーマット設定された認証要求を生成し、モバイル機器３に送信する。モバイル機器３は、ステップＳ６０６において、受信したＲＡＮＤからＳＲＥＳを計算し、適切にフォーマット設定された認証応答のＳＲＥＳをＭＳＣ−Ｓ１２に返送する。
【００６７】
もしＣＳ認証手続が成功する（すなわち、モバイル機器３が送信されたＲＡＮＤに対して正しいＳＲＥＳ値を返送したと、ＭＳＣ−Ｓ１２が判断する）なら、ＭＳＣ−Ｓ１２はステップＳ６０７に進み、そのステップにおいて、適切にフォーマット設定されたメッセージを生成し、ＩＣＳ  ＩＷＦ２２（ホームネットワーク２０のＨＬＲとしての役割を果たす）に送信し、ホームネットワーク２０にモバイル機器３の現在のロケーションを通知する。図６に示されるように、このメッセージ（例えば、「Update Location Request」）は、モバイル機器３のＩＭＳＩ及びＭＳＲＮを含む。
【００６８】
Location Update Requestに応答して、ＩＣＳ  ＩＷＦ２２は、ステップＳ６０８に進み、そのステップにおいて、ＨＳＳ２４から（関連するＳＩＰ／ＤＩＡＭＥＴＥＲモジュール６４及び８４を用いて）モバイル機器３のための加入者プロファイル及びサービス設定を検索し、それらを（非ＩＣＳ訪問先ネットワーク１０に適しているような）ＣＳ設定と対応するＣＳプロファイルにマッピングする。加入者プロファイル／サービス設定の検索のための種々のオプションに関する更なる詳細については、図７〜図９を参照しながら後に説明することになる。
【００６９】
いったんモバイル機器３のための加入者プロファイル／サービス設定を、ＣＳ設定と対応するＣＳプロファイルにマッピングすると、ＩＣＳ  ＩＷＦ２２は、ステップＳ６０９において、（自らのネットワークインターワーキングモジュール６７を用いて）モバイル機器３に関連付けられる加入者データ（ＣＳ設定とＣＳプロファイル）を与えるための適切にフォーマット設定されたメッセージを生成し、ＭＳＣ−Ｓ１２に送信する。このメッセージ、例えば、「加入者データ挿入」メッセージは、そのＩＭＳＩによってモバイル機器３を識別し、従来のＶＬＲ−ＨＬＲ手続に準拠する（ただし、この例において、ＩＣＳ  ＩＷＦ２２がホームネットワーク２０のＨＬＲとして構成される）。このようにして、ホームネットワーク２０は、適所にＨＬＲを備えず、かつレガシーのＣＳプロトコルをサポートしなくとも、有益に、必要な加入者データを訪問先ネットワーク１０に提供することができる。さらに、訪問先ネットワーク１０がそのようなレガシーのＣＳプロトコルをサポートする場合であっても。
【００７０】
ステップＳ６１０において包括的に示されるように、ＭＳＣ−Ｓ１２は、通常の（ＣＳ）手続に従って、モバイル機器３との自らの通信を暗号化するのを開始する。また、ＭＳＣ−Ｓ１２は、ステップＳ６１１において、通常の手続に従って、「ロケーション更新受理」メッセージ(‘Location Update Accept’ message)を生成し、モバイル機器３に送信する。事実上、このメッセージは、ステップＳ６１０において受信されたメッセージへの応答であり、Location Update Requestが受理されたことをモバイル機器３に通知する。
【００７１】
次に、ＭＳＣ−Ｓ１２は、（ステップＳ６０９において受信されたメッセージを確認するために）「加入者データ挿入確認応答」メッセージを生成し、ＩＣＳ  ＩＷＦ２２に送信し、通常のＶＬＲ−ＨＬＲ手続に従って、ＩＣＳ  ＩＷＦ２２から「ロケーション更新確認応答」を受信する（ＩＣＳ  ＩＷＦ２２は、ホームネットワーク２０のＨＬＲとしての役割を果たすように構成される）。
【００７２】
必要な場合には、ＩＣＳ  ＩＷＦ２２は、モバイル機器３のための終了セッションを訪問先ネットワーク１０にリダイレクトできるようにするために、（ステップＳ６１３において包括的に示される）ホームネットワーク２０への、いわゆる、第三者からのＩＭＳ登録も実行する。
【００７３】
動作−ＤＩＡＭＥＴＥＲプロトコルを使用する場合
図７は、モバイル機器３が非ＩＣＳ対応訪問先ネットワーク１０にローミングしているときに、図１の通信システム１の構成要素によって実行される方法を示す別のタイミング図の一例である。この例において、ＩＣＳ  ＩＷＦ２２及びＨＳＳ２４は、ＤＩＡＭＥＴＥＲプロトコルを用いて、互いに直接通信するように構成される。
【００７４】
図７の複数のステップの番号付けは、図６において使用される番号付けと類似ている。したがって、他に規定されない限り、図７に示される複数のステップは、図６を参照しながら上記に説明された、同様に番号付けされたそれぞれのステップに対応する（例えば、ステップＳ７０２は、ステップＳ６０２に対応する等）。これらのステップの説明を、ここでは簡略化のために省略する。
【００７５】
そのプロセスは（モバイル機器３からの、例えば、Location Update Requestの受信によってトリガされてよい）ステップＳ７０２において開始し、そのステップにおいて、ＭＳＣ−Ｓ１２は、モバイル機器３を認証するために必要なＣＳ認証パラメータを提供するようにＩＣＳ  ＩＷＦ２２に要求する。ＭＳＣ−Ｓ１２からのこの要求に応答して、ＩＣＳ  ＩＷＦ２２は、ステップＳ７０３ａに進む。
【００７６】
この例において、ＩＣＳ  ＩＷＦ２２は、アプリケーションサーバとして働く。それゆえ、ＩＣＳ  ＩＷＦ２２は、（自らのＳＩＰ／ＤＩＡＭＥＴＥＲモジュール６４を用いて）モバイル機器３に関連付けられる認証パラメータを要求するために、適切にフォーマット設定されたＤＩＡＭＥＴＥＲメッセージ（例えば、Ｃｘマルチメディア認証要求（ＭＡＲ）コマンド）を生成し、ＨＳＳ２４に送信する。これに応答して、ＨＳＳ２４は、ステップＳ７０３ｂにおいて、（自らのＳＩＰ／ＤＩＡＭＥＴＥＲモジュール８４を用いて）適切にフォーマット設定されたＤＩＡＭＥＴＥＲ応答（例えば、Ｃｘマルチメディア認証応答（ＭＡＡ）コマンド）を生成し、ＩＣＳ  ＩＷＦ２２に送信し、この応答内に、モバイル機器３に関連付けられる要求されたＣＳ認証パラメータ（ＩＭＳＩ、認証鍵（例えば、Ｋｃ）及びＲＡＮＤ−ＳＲＥＳ対等）を含める。
【００７７】
ステップＳ７０４及びＳ７０７はそれぞれ、ステップＳ６０４及びＳ６０７に対応する。
【００７８】
Location Update Request（Ｓ７０７）に応答して、ＩＣＳ  ＩＷＦ２２はステップＳ７０８ａに進み、そのステップにおいて、（自らのＳＩＰ／ＤＩＡＭＥＴＥＲモジュール６４を用いて）適切にフォーマット設定されたＤＩＡＭＥＴＥＲメッセージ（例えば、Ｃｘマルチメディア認証要求（ＭＡＲ）、ユーザデータ要求（ＵＤＲ）、サーバ割当て要求（ＳＡＲ）コマンド等）を生成し、ＨＳＳ２４に送信し、モバイル機器３に関連付けられた加入者プロファイル／サービス設定を要求する。
【００７９】
ＨＳＳ２４は、ステップＳ７０８ｂにおいて、（自らのＳＩＰ／ＤＩＡＭＥＴＥＲモジュール８４を用いて）要求された加入者プロファイル／サービス設定を含む、適切にフォーマット設定されたＤＩＡＭＥＴＥＲメッセージ（例えば、Ｃｘマルチメディア認証応答（ＭＡＡ）、ユーザデータ応答（ＵＤＡ）、サーバ割当て応答（ＳＡＡ）コマンド等）を生成し、ＩＣＳ  ＩＷＦ２２に送信することによって、この要求に応答する。
【００８０】
ステップＳ７０８ｃにおいて、ＩＣＳ  ＩＷＦ２２は、モバイル機器３のための加入者プロファイル及びサービス設定を記憶し、それらを（非ＩＣＳ訪問先ネットワーク１０に適しているような）ＣＳ設定と対応するＣＳプロファイルにマッピングする。その後、ＩＣＳ  ＩＷＦ２２は、（概ねステップＳ６０９に対応する）ステップＳ７０９に進み、ステップＳ７１３に進む前に、（ステップＳ７１２において）ＭＳＣ−Ｓ１２から適切な加入者データ挿入確認応答を受信する。
【００８１】
この例において、ステップＳ７１３において包括的に示されるように、ＩＣＳ  ＩＷＦ２２及びホームネットワークノード（例えば、ＨＳＳ２４及びＣＳＣＦ２８）は、モバイル機器３を登録するための適切なＩＭＳアドレス発見を（例えば、ＳＩＰプロトコルを用いて）実行する。このステップの一部として、ＩＣＳ  ＩＷＦ２２は、モバイル機器３のための終了セッションを訪問先ネットワーク１０にリダイレクトできるようにするために、ホームネットワーク２０への、いわゆる、第三者からのＩＭＳ登録も実行してもよい。
【００８２】
次に、ＩＣＳ  ＩＷＦ２２は、ステップＳ７１４において、通常の複数のＶＬＲ−ＨＬＲ手続に従って、「ロケーション更新確認応答」メッセージを生成し、ＭＳＣ−Ｓ１２に送信する（ＩＣＳ  ＩＷＦ２２は、ホームネットワーク２０のＨＬＲとしての役割を果たすように構成される）。
【００８３】
動作−ＳＩＰ及びＤＩＡＭＥＴＥＲプロトコルを使用する場合
図８は、モバイル機器３が非ＩＣＳ対応訪問先ネットワーク１０にローミングしているときに、図１の通信システム１の構成要素によって実行される方法を示す更に別のタイミング図の一例である。この例において、ＩＣＳ  ＩＷＦ２２及びＨＳＳ２４は、ＣＳＣＦ２８を介して（ＩＣＳ  ＩＷＦ２２とＣＳＣＦ２８との間のＳＩＰプロトコルを用いて、かつ、ＣＳＣＦ２８とＨＳＳ２４との間のＤＩＡＭＥＴＥＲプロトコルを用いて）、互いに間接的に通信するように構成される。
【００８４】
図８の複数のステップの番号付けは、（他に規定されない限り）図６において使用される番号付けと類似している。したがって、類似の複数のステップの説明を、ここでは簡略化のために省略する。
【００８５】
見てわかるように、そのプロセスは（モバイル機器３からの、例えば、Location Update Requestの受信によってトリガされてよい）ステップＳ８０２において開始し、そのステップにおいて、ＭＳＣ−Ｓ１２は、モバイル機器３を認証するために必要なＣＳ認証パラメータを提供するためにＩＣＳ  ＩＷＦ２２に要求する。ＭＳＣ−Ｓ１２からのこの要求に応答して、ＩＣＳ  ＩＷＦ２２はステップＳ８０３ａに進み、ＭＳＣ−Ｓ１２におけるＩＭＳアドレス発見を実行する。このＩＭＳアドレス発見中に、ＩＣＳ  ＩＷＦ２２は、モバイル機器３のために適したＣＳＣＦ２８のアドレスを判断する。
【００８６】
それゆえ、この例において、ＩＣＳ  ＩＷＦ２２は、ステップＳ８０３ｂにおいて、（自らのＳＩＰ／ＤＩＡＭＥＴＥＲモジュール６４を用いて）ホームネットワーク２０にモバイル機器３を登録するための適切にフォーマット設定されたＳＩＰメッセージ（例えば、登録メッセージ）を生成し、ＣＳＣＦ２８に送信する。図示されないが、ＳＩＰメッセージは、モバイル機器３を識別する情報、例えば、ＩＭＳＩ等を含んでよいことがわかるだろう。このＳＩＰメッセージに応答して、ＣＳＣＦ２８は、ステップＳ８０３ｃにおいて、（自らのＳＩＰ／ＤＩＡＭＥＴＥＲモジュール１０４を用いて）モバイル機器３に関連付けられるＣＳ認証パラメータをＨＳＳ２４から取得するために、適切にフォーマット設定されたＤＩＡＭＥＴＥＲ要求（例えば、ＭＡＲコマンド等のＣｘ−Ｐｕｔ要求）を生成し、ＨＳＳ２４に送信する。
【００８７】
ＨＳＳ２４は、ステップＳ８０３ｄにおいて、要求されたＣＳ認証パラメータを探索し、（自らのＳＩＰ／ＤＩＡＭＥＴＥＲモジュール８４を用いて）適切にフォーマット設定されたＤＩＡＭＥＴＥＲ応答（例えば、ＭＡＡコマンドのようなＣｘ−Ｐｕｌｌ／ＣＸ−応答）を生成し、ＣＳＣＦ２８に送信し、この応答内に、モバイル機器３に関連付けられる要求されたＣＳ認証パラメータ（ＩＭＳＩ、認証鍵（例えば、Ｋｃ）及びＲＡＮＤ−ＳＲＥＳ対等）を含める。
【００８８】
しかしながら、要求された登録を完了する前に、ＣＳＣＦ２８は、ステップＳ８０３ｅにおいて、ホームネットワーク２０に登録できるようにするために、モバイル機器３が自らを認証する必要があることを示す、適切にフォーマット設定されたＳＩＰメッセージ（例えば、「４０１無許可」メッセージ）を生成し、ＩＣＳ  ＩＷＦ２２に送信する。また、ＣＳＣＦ２８は、このメッセージに、モバイルデバイス３に関連付けられる（ＨＳＳ２４から受信した）ＣＳ認証パラメータを含める。
【００８９】
したがって、この例において、ステップＳ８０３ａ〜Ｓ８０３ｅは、図６のステップＳ６０３に対応する。ステップＳ８０４及びＳ８０７はそれぞれ、ステップＳ６０４及びＳ６０７に対応する。
【００９０】
（例えば、ステップＳ６０５及びＳ６０６を参照しながら上記で説明したように）モバイル機器３が自らを認証するのに成功したことをＭＳＣ−Ｓ１２が（Ｓ８０７においてメッセージを送信することによって）示した後に、ＩＣＳ  ＩＷＦ２２は、ステップＳ８０８ａにおいて、（自らのＳＩＰ／ＤＩＡＭＥＴＥＲモジュール６４を用いて）ホームネットワーク２０にモバイル機器３を登録するための適切にフォーマット設定されたＳＩＰメッセージ（例えば、別の、又は更新された登録メッセージ）を生成し、ＣＳＣＦ２８に送信する。しかしながら、今回は、ＩＣＳ  ＩＷＦ２２は、モバイル機器３が自らを認証するのに成功したことを（例えば、いわゆる、認証完了フラグを「真」に設定することによって）ＣＳＣＦ２８に示すように構成される。
【００９１】
このＳＩＰメッセージに応答して、ＣＳＣＦ２８は、ステップＳ８０８ｂにおいて、（自らのＳＩＰ／ＤＩＡＭＥＴＥＲモジュール１０４を用いて）ＨＳＳ２４にモバイル機器３が自らを認証するのに成功したことを示すために、適切にフォーマット設定されたＤＩＡＭＥＴＥＲ要求（例えば、「真」に設定された認証完了フラグを持つＳＡＲコマンドのようなＣｘ−Ｐｕｔ要求）を生成し、ＨＳＳ２４に送信する。ＨＳＳ２４は、ステップＳ８０８ｃにおいて、適切にフォーマット設定されたＤＩＡＭＥＴＥＲ応答（例えば、ＳＡＡコマンド）を生成し、ＣＳＣＦ２８に送信することによって、このメッセージの受信を確認する。
【００９２】
ステップＳ８０８ｄにおいて、ＣＳＣＦ２８は、ＳＩＰ登録メッセージを生成し、ＡＳに送信することによって、モバイル機器３をＡＳ２６にも登録する。これに応答して、ＡＳ２６は、次に、適切なＤＩＡＭＥＴＥＲメッセージを用いて（それらの間に設けられるＳｈインターフェースを介して）、ＨＳＳ２４から、モバイル機器３に関連付けられた加入者プロファイル及びサービス設定を取得する。この例において、ステップＳ８０８ｅにおいて包括的に示されるように、ＡＳ２６は、ＨＳＳ２４にユーザデータ要求（ＵＤＲ）コマンドを送信することによって加入者プロファイル及びサービス設定を要求し、ＨＳＳ２４は、ユーザデータ応答（ＵＤＡ）コマンドにおいて、要求された加入者プロファイル及びサービス設定を返送する。
【００９３】
ステップＳ８０８ｆにおいて、ＡＳ２６は、適切にフォーマット設定されたＳＩＰシグナリング、例えば、「２００ＯＫ」メッセージを用いて、モバイル機器３に関連付けられた加入者プロファイル及びサービス設定を（ＣＳＣＦ２８を介して）ＩＣＳ  ＩＷＦ２２に転送する。
【００９４】
ステップＳ８０８ｇにおいて、ＩＣＳ  ＩＷＦ２２は、モバイル機器３のための加入者プロファイル及びサービス設定を記憶し、それらを（非ＩＣＳ訪問先ネットワーク１０に適しているような）ＣＳ設定と対応するＣＳプロファイルにマッピングする。
【００９５】
実際上、ステップＳ８０８ａ〜Ｓ８０８ｇは、図６のステップＳ６０８に対応する。その後、ＩＣＳ  ＩＷＦ２２は（概ね図６のステップＳ６０９に対応する）ステップＳ８０９に進み、ステップＳ８１３に進む前に、ＭＳＣ−Ｓ１２から（ステップＳ８１２において）適切な加入者データ挿入確認応答を受信する。
【００９６】
この例において、ステップＳ８１３において包括的に示されるように、ＩＣＳ  ＩＷＦ２２は、ＩＭＳ登録が完了したと判断し、それゆえ、ステップＳ８１４において、通常の複数のＶＬＲ−ＨＬＲ手続に従って、「ロケーション更新確認応答」をＭＳＣ−Ｓ１２に送信する（ＩＣＳ  ＩＷＦ２２は、ホームネットワーク２０のＨＬＲとしての役割を果たすように構成される）。
【００９７】
図９は、図８に示されるタイミング図の形態である。図９の複数のステップの番号付けは（他に規定されない限り）図８において使用される番号付けに類似している。それゆえ、類似の複数のステップの説明を、ここでは簡略化のために省略する。
【００９８】
ステップＳ９０２〜Ｓ９０３ｄは、それぞれ、図８のステップＳ８０２〜Ｓ８０３ｄに対応する。しかしながら、この例において、（ステップＳ９０３ｂにおいて受信された）ＩＣＳ  ＩＷＦ２２からのＳＩＰ登録要求に応答する前に、ＣＳＣＦ２８は、モバイル機器３を認証するための必要なＣＳ認証パラメータと、モバイル機器３のための加入者プロファイル／サービス設定との両方を取得するように構成される。
【００９９】
ステップ９０３ｃ及び９０３ｄは、それぞれ、図８のステップ８０３ｃ及び８０３ｄに対応し、ステップＳ９０３ｅ〜９０３ｇは、それぞれ、図８のステップ８０８ｄ〜８０８ｆに対応する。しかしながら、この場合に、モバイル機器３は（ＣＳＣＦ２８ではなく）ＡＳ２６で登録し、ＡＳ２６からＩＣＳ  ＩＷＦ２２へのＳＩＰ「２００ＯＫ」メッセージは、（モバイル機器３のための加入者プロファイル／サービス設定ではなく）ＣＳ認証パラメータを含む。それゆえ、この例において、ステップＳ９０３ａ〜Ｓ９０３ｇは、図６のステップＳ６０３に対応する。
【０１００】
ステップＳ９０４及びＳ９０７は、それぞれ、図６のステップＳ６０４及びＳ６０７に対応する。
【０１０１】
（例えば、図６のステップＳ６０５及びＳ６０６を参照しながら上記で説明したように）モバイル機器３が自らを認証するのに成功したことを、ＭＳＣ−Ｓ１２が（Ｓ９０７においてメッセージを送信することによって）示した後に、ＩＣＳ  ＩＷＦ２２は、ステップＳ９０８ａにおいて、（自らのＳＩＰ／ＤＩＡＭＥＴＥＲモジュール６４を用いて）ＡＳ２６を含むセッションを確立するために、適切にフォーマット設定されたＳＩＰメッセージ（例えば、要請メッセージ）を生成し、（ＣＳＣＦ２８を介して）ＡＳ２６に送信する。ＩＣＳ  ＩＷＦ２２は、このメッセージ内に、確立されるセッションに関連する情報、例えば、パブリックサービスアイデンティティ（ＰＳＩ）ルーティング情報及び／又はユーザプロファイル要求を含める。
【０１０２】
これに応答して、ステップＳ９０８ｂにおいて、ＡＳ２６は、適切にフォーマット設定されたＳＩＰシグナリング、例えば、「２００ＯＫ」メッセージを用いて、モバイル機器３に関連付けられる加入者プロファイル及びサービス設定をＩＣＳ  ＩＷＦ２２に（ＣＳＣＦ２８を介して）転送する。
【０１０３】
ステップＳ９０８ｃにおいて、ＩＣＳ  ＩＷＦ２２は、モバイル機器３のための加入者プロファイル／サービス設定を記憶し、それらを（非ＩＣＳ訪問先ネットワーク１０に適しているような）ＣＳ設定と対応するＣＳプロファイルにマッピングする。
【０１０４】
事実上、ステップＳ９０８ａ〜Ｓ９０８ｃは、図６のステップＳ６０８に対応する。ＩＣＳ  ＩＷＦ２２は、その後、それぞれ概ね図８のステップＳ８０９〜Ｓ８１４に対応する、ステップＳ９０９〜Ｓ９１４に進む。
【０１０５】
更なる実施形態
図１０は、（ローミング中のモバイル機器３のために）訪問先ネットワーク１０に向かう着信呼を設定するための呼フローを示す。この場合に、ＳＩＰユーザエージェント（ＵＡ）機能及びモバイルデバイス３は、異なるＰＬＭＮ内に位置されることがわかるだろう。より具体的には、ＳＩＰ  ＵＡ機能は、図６〜図９を参照しながら上記で説明したように、ホームネットワーク２０（ＩＭＳ）でモバイル機器３を登録したエンティティに応じて、ＩＣＳ  ＩＷＦ２２内に位置するか、又は（ホームネットワーク２０内にある）ＩＣＳ  ＭＳＣサーバ内に位置する。さらに、ＩＣＳ  ＩＷＦ２２は、アウトバウンドローマの場合に（ホームネットワーク２０内にある）ＩＣＳ  ＭＳＣサーバと併置されてもよく、その場合に、ＩＣＳ  ＭＳＣサーバはモバイル機器３を登録するように構成される。
【０１０６】
この例において、発呼者が、異なるＰＬＭＮ内にあるアウトバウンドローミングモバイル機器３に向かうセッションを設定することを望む。図６〜図９を参照しながら上記で説明した手続のうちの１つに従って、ＩＣＳ  ＩＷＦ２２（又はＩＣＳ  ＭＳＣサーバ）がローミング中のモバイル機器の代わりにホームネットワーク２０（ＩＭＳ）に登録されるように、モバイル機器３は訪問先ネットワーク１０にアタッチしている。
【０１０７】
ステップＳ１０００：発呼者は、要求統一資源識別子（ＵＲＩ）として通常のＩＰマルチメディアパブリックアイデンティティ（ＩＭＰＵ）を用いて、アウトバウンドローミングモバイル機器３に通常のＳＩＰ  ＩＮＶＩＴＥを送信する。その要求は、異なるＰＬＭＮから到来してもよく、図１０に示されない異なるＩＭＳノードを横断してもよいことがわかるだろう。
【０１０８】
ステップＳ１００１：サービングＣＳＣＦ２８は、アウトバウンドローミングモバイル機器３がＩＭＳで登録されたことを認識し、ＩＣＳ  ＩＷＦ２２（又はＩＣＳ  ＭＳＣサーバ）内に存在するユーザエージェントに向かってセッションをルーティングする。
【０１０９】
ステップＳ１００２：ＩＣＳ  ＩＷＦ２２／ＩＣＳ  ＭＳＣサーバは、モバイル機器３のロケーションを解明し、ＣＳ呼設定メッセージ（例えば、初期アドレスメッセージ（ＩＡＭ））を訪問先ネットワーク１０内の非ＩＣＳ  ＭＳＣ−Ｓ１２に向かって送信する。ＩＣＳ  ＩＷＦ２２／ＩＣＳ  ＭＳＣサーバは、ＬＡＵ手続（例えば、図６のステップＳ６０１〜Ｓ６１１）から、訪問先ネットワーク１０内の非ＩＣＳ  ＭＳＣ−Ｓ１２がわかっている。
【０１１０】
ステップＳ１００３：非ＩＣＳ  ＭＳＣ−Ｓ１２は、ページング等を含む通常のＣＳセッション設定を実行する。
【０１１１】
ステップＳ１００４：モバイルデバイス３はその呼に応答する。
【０１１２】
ステップＳ１００５：ＭＳＣ−Ｓ１２は、ＣＳ呼設定応答（例えば、応答メッセージ（ＡＮＭ））を送信する。
【０１１３】
ステップＳ１００６：ＩＣＳ  ＩＷＦ２２／ＩＣＳ  ＭＳＣサーバは、サービングＣＳＣＦ２８に２００ＯＫメッセージを送信する。
【０１１４】
ステップＳ１００７：サービングＣＳＣＦ２８は、２００ＯＫメッセージを（例えば、プロキシＣＳＣＦ２８及び／又は別のＩＭＳネットワークを介して）発呼者に向かってルーティングする。
【０１１５】
２００ＯＫメッセージを受信すると、発呼者は、訪問先ネットワーク１０のモバイル機器３と通信するために、（ホームネットワーク２０及び訪問先ネットワーク１０内の１つ以上の適切なメディアゲートウェイを用いて）メディアプレーンを確立してもよい。
【０１１６】
上記の実施形態において、モバイル電話機に基づく通信システムを説明した。当業者であればわかるように、本出願において記載されるシグナリング技法は、他の通信システムにおいて用いられえる。他の複数の通信ノード又は複数の機器は、例えば、携帯情報端末、ラップトップ／タブレットコンピュータ、ブックレットコンピュータ、無線ルータ、ウェブブラウザ、電子書籍リーダ等のユーザ機器を含んでよい。当業者であればわかるように、上記のシステムが複数のモバイル通信機器のために用いられることは必須ではない。システムは、モバイル通信機器に加えて又はその代わりに、１つ以上の固定通信機器を有するネットワークを改善するために用いられえる。
【０１１７】
上記の実施形態では、複数のソフトウェアモジュールを記載した。当業者であればわかるように、それらのソフトウェアモジュールは、コンパイル済みの形式又は未コンパイルの形式において提供されてよく、コンピュータネットワークを介して信号として、又は記録媒体においてノードに供給されてよい。さらに、このソフトウェアの一部又は全部によって実行される機能は、１つ以上の専用のハードウェア回路を用いて実行されてもよい。しかしながら、複数のソフトウェアモジュールの使用によって、ノードの機能を更新するためにこのノードを更新することが容易になるため、ソフトウェアモジュールの使用が好ましい。同様に、上記の実施形態は、トランシーバ回路を用いたが、トランシーバ回路の機能のうちの少なくとも幾つかは、ソフトウェアによって実行されえる。
【０１１８】
変更形態及び代替形態
詳細な実施形態をこれまで説明してきた。当業者であればわかるように、本明細書において具現される本発明から依然として利益を得ながら、上記の実施形態に対して複数の変更形態及び代替形態が行われえる。例示にすぎないが、ここで、幾つかのこれらの代替形態及び変更形態を説明するだろう。
【０１１９】
無線アクセス技術はＥ−ＵＴＲＡには限定されず、以下の規格、すなわち、ＬＴＥ、ＵＭＴＳ、ＧＰＲＳ、ＷｉＦｉ、ＷｉＭＡＸ等のうちの１つ以上による任意の適切なアクセス技術を含んでよいことがわかるだろう。
【０１２０】
上記の説明は、ＧＳＭ（登録商標）、ＧＰＲＳ、ＵＭＴＳ、ＨＳＰＡ、ＬＴＥ、ＬＴＥ−Ａアクセス等を用いて、３ＧＰＰモバイルネットワークに適用可能であってよいことはわかるだろう。しかしながら、上記の説明は、そのようなネットワークには限定されず、例えば、ＣＤＭ２０００、Ｂｌｕｅｔｏｏｔｈ（登録商標）、種々の８０２．１１規格、ＺｉｇＢｅｅ等の任意の他のセルラ又はモバイルネットワーク、すなわち、ＣＳ対応モバイル機器（ＵＥ）が接続されえる任意のアクセス技術及びコアネットワーク技術の場合に、同様に使用されえる。
【０１２１】
幾つかのシナリオにおいて（例えば、コンバインドアタッチ、回線交換フォールバック等の場合に）、ロケーション更新要求メッセージ（ステップＳ６０１）が、訪問先ネットワークのＭＭＥによって（又はサービングＧＰＲＳサポートノード「ＳＧＳＮ」によって）、ＭＳＣ−Ｓに送信されてもよいことはわかるだろう。この場合、ＭＳＣ−Ｓは、ロケーション更新要求メッセージを送信したＭＭＥ（又はＳＧＳＮ）に、ロケーション更新受理メッセージ（ステップＳ６１１）を送信する。また、コンバインドアタッチの場合、認証ステップを実行する必要がなくてよいこともわかるだろう。ＵＥはＭＭＥを介してＮＡＳシグナリングにおいて認証され、かつＭＳＣはユーザプロファイル及び複数のサービス設定を検索するためにロケーション更新手続を実行すれば十分であるので、「認証ステップ」によって、手続Ｓ６０２〜Ｓ６０６全体をスキップすることができる。
【０１２２】
上記のプロトコルオプションは、ＤＩＡＭＥＴＥＲ、ＭＡＰ、ＳＩＰであると見なされるが、任意の他の適切なプロトコル（ＨＴＴＰ、ＸＣＡＰ、ＲＡＤＩＵＳ等）を使用してもよいことがわかるだろう。上記の説明は、ＩＣＳ及びＭＳＣ−Ｓを論じるが、メディアゲートウェイ（ＭＳＣ−Ｓだけでない）を持つ任意の種類のソフトスイッチにも適用可能であってよい。機能要素ＩＣＳインターワーキング機能は、別個のエンティティとして設けられてよく、又は別のエンティティ（例えば、ＭＳＣサーバ、ＨＳＳ、相互接続境界制御機能（ＩＢＣＦ）、ＣＳＣＦ、ＡＳ、パケットデータネットワークゲートウェイ（ＰＧＷ）等）と併置されてもよい。
【０１２３】
上記の例におけるＣＳ認証データは、複数のパラメータＳＲＥＳ、Ｋｃ及びＲＡＮＤを含むものとして説明した。しかしながら、他の複数のパラメータが（例えば、パラメータＳＲＥＳ、Ｋｃ及びＲＡＮＤに加えて、又はその代わりに）使用されてもよいこともわかるだろう。
【０１２４】
ＩＣＳ  ＩＷＦが他の複数のノード（すなわち、Ｉｃｓ１〜Ｉｃｓ６）と接続するために使用する参照点は、Ｒｘ、Ｃｘ、Ｓｈ、Ｂ（ＭＳＣ−ＶＬＲ）、Ｍｗ、ｉ２、ＩＳＣ参照点等に基づいてよいことはわかるだろう。ＩＣＳ  ＩＷＦは拡張ＨＬＲとして実現されてよく、類似の機能をサポートするが、ＭＳＣ−Ｓ及び／又は他の複数のＩＭＳコアネットワークノードに向かう異なるプロトコル、例えば、ＤＩＡＭＥＴＥＲ、ＨＴＴＰ及びＳＩＰ等をサポートしてもよい。
【０１２５】
種々の他の変更は当業者には明らかであり、ここでは、これ以上詳しくは説明しない。
【符号の説明】
【０１２６】
ＡＳ  Application Server; アプリケーションサーバ
ＡＶＰ  Attribute Value Pair; 属性値ペア
ＣＣＡ  Credit-Control-Answer; クレジット制御応答
ｅＮＢ    evolved NodeB; 発展型ノードＢ
ＧＰＲＳ  General Packet Radio Service; 汎用パケット無線サービス
ＨＬＲ  Home Location Register; 加入者位置登録機
ＨＰＬＭＮ  Home Public Land Mobile Network; ホーム公衆地上移動体ネットワーク
ＨＳＳ  Home Subscriber Server; 加入者情報管理装置
ＩＢＣＦ  Interconnection Border Control Function; 相互接続境界制御機能
ＩＣＳ  IMS Centralized Service; ＩＭＳ集中型サービス制御
ｉＦＣ  Initial Filter Criteria; 初期フィルタ条件
ＩＭＳ  IP Multimedia Subsystem; ＩＰマルチメディアサブシステム
ＩＭＳＩ  International Mobile Subscriber Identifier; 国際移動体加入者識別番号
ＩＰ  Internet Protocol; インターネットプロトコル
ＩＷＦ  Interworking Function; インターワーキング機能
ＬＡＩ  Location Area Identifier; ロケーションエリア識別子
ＬＡＵ  Location Area Update; ロケーションエリア更新
ＬＴＥ  Long Term Evolution
ＭＡＡ  Multimedia-Auth-Answer; マルチメディア認証応答
ＭＡＰ  Mobile Application Part; 移動通信応用部
ＭＡＲ  Multimedia-Auth-Request; マルチメディア認証要求
ＭＣＣ  Mobile Country Code; 国識別コード
ＭＧＷ  Media Gateway; メディアゲートウェイ
ＭＭＥ  Mobility Management Entity; 移動管理装置
ＭＳＣ  Mobile Switching Center; 移動通信交換局
ＭＳＣ−Ｓ  MSC Server; ＭＳＣサーバ
ＭＳＲＮ  Mobile Station Roaming Number; 移動局ローミング番号
ＮＷ  Network; ネットワーク
Ｐ−ＣＳＣＦ  Proxy Call Session Control Function; プロキシ呼セッション制御機能
ＰＤＮ  Packet Data Network; パケットデータネットワーク
ＰＧＷ  PDN Gateway; ＰＤＮゲートウェイ
ＱｏＳ  Quality of Service; サービス品質
ＲＡＮＤ  RANDom number; （認証に用いられる）乱数
ＲＡＲ  Re-Auth-Request; 再認証要求
ＳＡＡ  Server-Assignment-Answer; サーバ割当て応答
ＳＡＲ  Server-Assignment-Request; サーバ割当て要求
Ｓ−ＣＳＣＦ  Serving Call Session Control Function; サービング呼セッション制御機能
ＳＧＳＮ  Serving GPRS Support Node; 加入者パケット交換機
ＳＩＰ  Session Initiation Protocol; セッション開始プロトコル
ＳＲＥＳ  Signed RESponse; 符号付き応答（２Ｇ  ＡＫＡにおいてＳＩＭ又はＵＳＩＭによって返される認証値）
ＴＡＳ  Telephony Application Server; テレフォニーアプリケーションサーバ    ＵＤＡ  User Data Answer; ユーザデータ応答
ＵＤＲ  User Data Request; ユーザデータ要求
ＵＥ  User Equipment; ユーザ機器
ＵＲＩ  Uniform Resource Identifier; 統一資源識別子
ＵＲＮ  Uniform Resource Name; 統一資源名
ＶＬＲ  Visited Location Register; 訪問者位置登録機
ＶＰＬＭＮ  Visitor Public Land Mobile Network; 訪問先公衆陸上移動体ネットワーク
【０１２７】
この出願は、２０１５年１１月１０日に出願された欧州特許出願第１５１９３９７０．９号を基礎とする優先権の利益を主張し、その開示の全てをここに取り込む。
【図１】
0006734570.tif 000002
【図２】
0006734570.tif 000003
【図３】
0006734570.tif 000004
【図４】
0006734570.tif 000005
【図５】
0006734570.tif 000006
【図６】
0006734570.tif 000007
【図７】
0006734570.tif 000008
【図８】
0006734570.tif 000009
【図９】
0006734570.tif 000010
【図１０】
0006734570.tif 000011